(57)【要約】表面に防汚保護を適用することは、表面を露出することと、露出された表面に防汚テープを接着させることを含む。防汚テープは、防汚層と、支持層と、接着層とを含み、防汚層は、汚れ物質が防汚層に付着することを阻止するよう作用可能な外面を含む。接着層は、支持層を表面に接着させるよう作用可能な接着剤を含み、支持層は、防汚層の外面を表面の外側に露出するよう防汚層と接着層との間に配置される。
2006526528.tif 000002
【特許請求の範囲】
【請求項１】
表面に防汚保護を付ける方法であって、
表面を露出する段階と、
前記露出された表面に防汚テープを接着させる段階と、
を含み、
前記防汚テープは、防汚層と、支持層と、接着層とを含み、
前記防汚層は、汚れ物質が前記防汚層に付着することを阻止するよう作用可能な外面を含み、
前記接着層は、前記支持層を前記表面に接着させるよう作用可能な接着剤を含み、
前記支持層は、前記防汚層の前記外面を前記表面の外側に露出するよう前記防汚層と前記接着層との間に配置される、方法。
【請求項２】
前記露出された表面に防汚テープを接着させる段階は更に、
前記防汚テープの前記接着層を活性化させる段階と、
前記接着層の活性化と実質的に同時に前記表面の外形に一致させるよう前記防汚テープを形付ける段階と、
を含む請求項１記載の方法。
【請求項３】
前記接着層は更に、熱凝固性接着剤を含み、
前記防汚テープの前記接着層を活性化させる段階は更に、前記熱凝固性接着剤を活性化させるよう前記防汚テープに熱を加える段階を含む請求項２記載の方法。
【請求項４】
前記接着層は更に、圧力により付加される接着剤を含み、
前記防汚テープの前記接着層を活性化させる段階は更に、前記露出された表面に前記接着層を接着させるために前記防汚テープに圧力を加える段階を含む請求項２記載の方法。
【請求項５】
前記防汚テープは更に、第二銅化合物、過酸化水素放出殺生剤、酵素剤、複合体殺生剤、錫に基づいた殺生剤、及びクロライトに基づいた殺生剤からなる群から選択される防汚化合物を含む請求項１記載の方法。
【請求項６】
前記支持層は、前記防汚層及び前記接着層を支持するよう作用可能であり、
前記防汚層は、前記支持層内に埋め込みされる請求項１記載の方法。
【請求項７】
前記支持層は、セルロースに基づいた膜、ゴムに基づいた膜、プラスチックに基づいた膜、金属膜、ナイロン強化膜、ガラス繊維、ガラス強化膜、プラスチック強化膜、及び織物に基づいた膜からなる群から選択される支持材を含む請求項１記載の方法。
【請求項８】
前記熱凝固性接着剤は、エチレン酢酸ビニール及びポリオレフィン化合物からなる群から選択される接着化合物を含む請求項１記載の方法。
【請求項９】
防汚層に汚れ物質が付着することを阻止するよう作用可能な外面を含む該防汚層と、
接着層と、
前記防汚層と前記接着層との間に配置される支持層と、
を含み、
前記接着層は、前記防汚層の前記外面を表面の外側に露出するよう前記支持層を該表面に接着させるよう作用可能な接着剤を含む、防汚テープ。
【請求項１０】
前記防汚化合物は、第二銅化合物、過酸化水素放出殺生剤、酵素剤、複合体殺生剤、錫に基づいた殺生剤、及びクロライトに基づいた殺生剤からなる群から選択される化合物を含む請求項９記載の防汚テープ。
【請求項１１】
前記支持層は、セルロースに基づいた膜、ゴムに基づいた膜、プラスチックに基づいた膜、金属膜、ナイロン強化膜、ガラス繊維、ガラス強化膜、プラスチック強化膜、及び織物に基づいた膜からなる群から選択される支持材を含む請求項９記載の防汚テープ。
【請求項１２】
前記接着剤は、熱凝固性接着剤を含む請求項９記載の防汚テープ。
【請求項１３】
前記接着剤は、圧力により付加される接着剤を含む請求項９記載の防汚テープ。
【請求項１４】
前記接着剤は、スチレン−ブタジエンゴム（ＳＢＲ）、ニトリルゴム、ネオプレンゴム、ブチラールゴム、ブチルゴム、ポリスルフィドゴム、ポリスルフィドゴム、シリコーンゴム、天然ラテックスゴム、及び合成ラテックスゴムからなる群から選択されるゴムに基づいた接着剤を含む請求項９記載の防汚テープ。
【請求項１５】
前記接着剤は、ポリビニール、ポリ酢酸ビニル、ポリビニールブチラール、ポリ塩化ビニール（ＰＶＣ）、アクリル系、嫌気性、エチレン酢酸ビニール（ＥＶＡ）、ポリエチレン、ポリオレフィン、ナイロン、フェノール、尿素、エポキシ、ポリウレタン、ロジン、ポリテルペン、及び石油からなる群から選択される樹脂に基づいた接着剤を含む請求項９記載の防汚テープ。
【請求項１６】
前記接着剤は、パラフィン、天然ワックス、及びビーワックスからなる群から選択されるワックスに基づいた接着剤を含む請求項９記載の防汚テープ。
【請求項１７】
表面に汚れ物質が付着することを阻止するよう作用可能な外面を含む防汚手段と、
接着手段と、
前記防汚手段と前記接着手段との間に配置される支持手段と、
を含み、
前記接着手段は、前記防汚手段の前記外面を前記表面の外側に露出させるために前記支持手段を前記表面に接着させるよう作用可能な接着剤を含む、防汚テープ。
【請求項１８】
表面に防汚テープを付ける方法であって、
防汚テープを受容するために表面を露出させる段階と、
前記露出された表面に前記防汚テープを接着させる段階と、
を含み、
前記防汚テープは、防汚層と、支持層と、接着層を含み、
前記防汚層は、汚れ物質が前記防汚層に付着することを阻止するよう作用可能な外面を含み、
前記接着層は、前記支持層を前記表面に接着させるよう作用可能な接着剤を含み、
前記支持層は、前記防汚層と前記接着層との間に配置され、
前記接着剤は更に、エチレン酢酸ビニール及びポリオレフィン化合物からなる群から選択される熱凝固性接着剤を含み、
前記防汚テープは前記露出された表面に、前記熱凝固性接着剤を活性化させるために前記防汚テープに熱を加えることによって前記防汚テープの前記接着層を活性化させ、前記接着層の活性化と実質的に同時に前記表面の外形に一致させるよう前記防汚テープを形付けることによって接着させられ、
前記接着された防汚テープは、前記防汚層の前記外面を、前記表面の外側に露出する、方法。
【請求項１９】
前記防汚層は更に、第二銅化合物、過酸化水素放出殺生剤、酵素剤、複合体殺生剤、錫に基づいた殺生剤、及びクロライトに基づいた殺生剤からなる群から選択される防汚化合物を含む請求項１８記載の方法。
【請求項２０】
前記支持層は、前記防汚層及び前記接着層を支持するよう作用可能であり、
前記防汚層は、前記支持層内に埋め込みされ、
前記支持層は、セルロースに基づいた膜、ゴムに基づいた膜、プラスチックに基づいた膜、金属膜、ナイロン強化膜、ガラス繊維、ガラス強化膜、プラスチック強化膜、及び織物に基づいた膜からなる群から選択される支持材を含む請求項１８記載の方法。
【発明の詳細な説明】
【発明の詳細な説明】
【０００１】
［発明の技術分野］
本発明は一般的に、防汚適用の分野に係わり、より具体的には、防汚テープ及び、適用並びに除去方法に係る。
【０００２】
［発明の背景］
防汚化合物は、一般的に、船の船体といった水中にある表面の汚れを防止するために使用される。汚れは、海洋生物といった異物が、水中にある表面に付くことによって発生する。異物には、以下に制限されないが、藻及びフジツボといった海洋生物、また、結晶成長及び崩壊堆積物といった海洋エレメントを含む任意の汚れを含む。例えば、フジツボは、堅い殻を形成し、水中の表面に付着したままであることが可能である様々な海洋生物のうちの１つであり、水中の表面は、防汚化合物で処理されなければ、フジツボでびっしりと覆われてしまう。同様に、単細胞又は多様であろうとも藻も、水中の表面を含む水中環境において成長し得る別の海洋生物であり、この場合も、水中の表面は、防汚化合物で処理されなければ、藻の成長を引き寄せ得る。
【０００３】
水中の表面を防汚化合物で被覆することは、一般的に、ペイントに基づいた適用を用いることが必要となる。ペイントに基づいた適用を除去する技術は、一般的に、ペイントを取り除くためにペイントされた表面にやすりを掛けるか又はその表面をこすることを必要とする。しかし、ペイントの除去は、防塵マスクの使用、特殊ギアの装着、及び、放出された汚れペイントの処分のための環境保護局ガイドラインの順守を必要とする有毒な粉塵粒子の放出をもたらす。従って、水中表面上への防汚コーティングの塗布及び水中表面からの防汚コーティングの除去のための周知の技術は、特定の状況においては不十分である。
【０００４】
［発明の概要］
本発明では、防汚化合物の適用及び除去のための従前の技術に関連付けられる不利点及び問題が、低減又は排除され得る。
【０００５】
１つの実施例では、表面に防汚保護を適用することは、表面を露出することと、露出された表面に防汚テープを接着させることを含む。防汚テープは、防汚層と、支持層と、接着層とを含み、防汚層は、汚れ物質が防汚層に付着することを阻止するよう作用可能な外面を含む。接着層は、支持層を表面に接着させるよう作用可能な接着剤を含み、支持層は、防汚層の外面を表面の外側に露出するよう防汚層と接着層との間に配置される。
【０００６】
本発明の特定の実施例は、１つ以上の技術的利点を提供し得る。１つの技術的利点は、テーピング技術を用いることによって、防汚化合物の表面への適用は、より効率のよい適用となり得る点である。１つの実施例の別の技術的利点は、表面に防汚化合物を適用するのにテーピング技術を用いることによって、防汚化合物の除去は、やすり掛け又はこすることの必要性を低減又は排除し得る点である。
【０００７】
［図面の詳細な説明］
本発明の特定の実施例は、上述の技術的利点の一部又は全てを含むか、又は全部を含まない場合がある。１つ以上の他の技術的利点は、図面、説明、及び請求項から当業者には容易に明らかであろう。
【０００８】
本発明及びその特徴並びに利点のより完全な理解のために、以下の説明を、添付図面と共に参照する。
【０００９】
本発明の実施例及びその利点は、図１乃至４を参照することによって最良に理解されるであろう。同様の番号は、様々な図面における同様の且つ対応する部分に使用する。
【００１０】
図１は、汚れ物質に晒され得る表面の１つの実施例を示す。図示する実施例では、船舶１０の船体といった表面１２には、図２Ａ及び２Ｂを参照してより具体的に説明する防汚テープが付けられる。尚、防汚テープは、汚れ物質に晒され得る任意の表面１２に付けられ得ることを理解するものとする。例えば、表面１２は、船舶、海洋リグ、橋脚、ドック、平底船、一重又は二重底構造の実質的に全て又は一部、又は任意の他の水中適用に好適な表面といった、表面１２を汚れ物質に晒し得る海水又はそうではない水である水中での動作が可能であっても可能ではなくてもよい任意の水中構造の表面の全て又は一部を含む。図示する実施例では、表面１２は、船の船体表面の全て又は部分を含む。更に、表面１２は、ガラス繊維、木材、又は任意の他の好適な材料といった、海水使用又は淡水使用のための水中適用に好適な任意の材料から形成され得る。
【００１１】
図２Ａ及び２Ｂは、表面１２上に適用される防汚テープの実施例を示す。図２Ａは、表面１２上に位置付けられる防汚テープ２０の１つの実施例を示す。図示する実施例では、防汚テープ２０は、図２Ａに示すように層状にされる接着層１４と、支持層１６と、防汚層１８を含む。防汚テープ２０は、本発明の範囲から逸脱することなく任意の好適な厚さを含み得ることを理解するものとする。更に、防汚テープ２０は、任意の好適な表面面積を覆うよう形成され得る。例えば、防汚テープ２０は、本発明の範囲から逸脱することなく、ストリップ、シート、ロール、又はそれ以外で形成され得る。
【００１２】
接着層１４は、支持層１６を表面１２に接着する。１つの実施例では、接着層１４は、接着剤を含む。支持層１６を表面１２に接着するのに好適な任意の接着剤を、本発明の範囲から逸脱することなく使用し得る。例えば、接着剤は、好気性、嫌気性、放射性、熱凝固性、熱放出性、水凝結性、又は、硬化或いは剥離剤を必要とするといった任意の凝結タイプであり得る。別の例として、接着剤は、ゴムに基づいた接着剤、樹脂接着剤、ワックスに基づいた接着剤、無機接着剤、又は、任意の他の好適な接着剤化合物といった接着特性を有する任意の溶液又は化合物を含み得る。図示する実施例では、任意のテープ技術と共に使用するのに適した任意の接着剤を、本発明の範囲から逸脱することなく使用し得る。別の実施例では、接着層１４は更に、防汚層１８を表面１２に接着し得る。
【００１３】
以下の表１を参照するに、以下の接着化合物又は溶液を、単独で又は組み合わせて、本発明の範囲から逸脱することなく使用し得る。表１に特に示さない他の接着溶液及び化合物も、着脱可能な防汚テープ適用に使用し得る。これらは例として提示したものであり、本発明の範囲を列挙した又は任意の他の特定の接着剤に制限するよう解釈すべきではない。
【００１４】
【表１】
2006526528.tif 000003
支持層１６は、防汚層１８と接着層１４を支持する。図示する実施例では、支持層１６は、接着層１４と防汚層１８との間に配置される。支持層１６は、接着層１４と防汚層１８を支持するための任意の好適な支持材料を含む。例えば、支持層１６は、セルロースに基づいた膜、ゴムに基づいた膜、プラスチック膜、金属膜、ナイロン強化膜、ガラス繊維、ガラス強化膜、プラスチック強化膜、織物に基づいた膜、これらの一部、又はこれら以外の組み合わせといった支持体を含む。１つの実施例では、プラスチック膜を含む支持体は、ポリオレフィン、ポリビニール、ポリウレタン、ポリスチレン、ポリブチラール、任意の樹脂、又は石油プラスチックを含み得る。任意の他の好適な支持体も、本発明の範囲から逸脱することなく支持層１６として使用し得る。
【００１５】
防汚層１８は、防汚テープ２０の外層を形成する。防汚層１８は、接着層１４、支持層１６のいずれか又は両方に埋め込まれる、取り付けられる、又は包含される防汚化合物を含み、従って、防汚層１８は、表面１２の外側に配置され得る。１つの実施例では、防汚層１８の支持層１６への埋め込み又は取付けは、強化されていても強化されていなくてもよいコーティングを、防汚層１８の接着ベースとして使用することによって達成され得る。別の実施例では、防汚層１８は、防汚層１８を支持層１６に埋め込みする又は取り付けるために使用し得る接着品質を含み得る。防汚層１８を接着層１４、支持層１６のいずれか又は両方に埋め込みする、取り付ける、又は含ませる任意の他の好適な技術も、本発明の範囲から逸脱することなく使用し得る。
【００１６】
防汚層１８の防汚化合物は、第二銅化合物、過酸化水素放出殺生剤、酵素剤、ジウロン、クロロタニロル、シーナイン（SeaNine）、及びイルガロール（Irgarol）といった複合体殺生剤、ＴＢＴを含む錫に基づいた殺生剤、及びクロライトに基づいた殺生剤といった汚れ物質が防汚テープ２０に付着することを阻止するのに適した任意の防汚剤を含み得る。任意の他の好適な防汚化合物又は技術を、本発明の範囲から逸脱することなく防汚層１８に用いてもよい。例えば、防汚層１８は、滑らかな表面を形成する任意の化合物を含んでもよく、その滑らかな表面には汚れ物質が付着しない。別の例として、防汚層１８は、削摩層、化学層、又は、汚れ物質が防汚層１８に接着することを阻止し得る任意の他の有害な適用を含み得る。
【００１７】
防汚テープ２０は、接着層１４が表面１２に直接接触するよう表面１２上に位置付けられ得る。１つの実施例では、防汚テープ２０は、例えば、防汚テープ２０が、接着性を活性化させる前に適切な位置に位置付けられることを確実にするよう支持体を剥がすことなく表面１２上に位置付けられ得る「ピールアンドスティック」接着層１４を含み得る。防汚テープ２０は、本発明の範囲から逸脱することなく任意の他の好適な技術を用いて表面１２上に位置付けられ得る。例えば、テープ、クリップ、ロープ、永久であってもでなくてもよい磁石、ねじといった留め具、取付け溶液、又は、接着層１４を活性化させる前に防汚テープ２０を表面１２上に位置付けるために値用され得る任意の他の好適な装置、溶液、又は技術も使用し得る。
【００１８】
図２Ｂは、表面１２上に位置付けられる防汚テープ２０と、防汚テープ２０に向けられる活性化エネルギー２２を示す。１つの実施例では、活性化エネルギー２２は、防汚テープ２０が、表面１２上に位置付けられるときに接着層１４の接着性を活性化させるよう使用され得る。活性化エネルギー２２は、接着層１４の接着性の一部、又は全てを活性化させ、それにより、防汚テープ２０は、表面１２に着脱可能に接着され得る。活性化エネルギー２２は、接着層１４の接着性を全く活性化させない場合もある。活性化エネルギー２２は、熱エネルギー、水の適用、硬化適用、放射線、圧力適用、又は、接着層１４を活性化し得る任意の他の好適な適用を含み得る。例えば、活性化エネルギー２２は、例えば、接着層１４が、ポリオレフィンといった熱凝固性接着剤を含む場合、ヒートガンといった熱放出装置を用いた熱の適用を含み得る。熱活性化の実施例では、任意の好適な熱放出装置を、本発明の範囲から逸脱することなく使用し得る。別の例として、接着層１４の接着剤が、ブチルゴム接着剤といった圧力により付加される接着剤を含む場合、圧力の付加が、活性化エネルギー２２として使用され得る。
【００１９】
防汚テープ２０に対して変更、追加、又は省略を、本発明の範囲から逸脱することなく行い得る。例えば、支持層１６は、別個の区別可能な層を形成するのではなく、支持層１６は、接着層１４又は防汚層１８に埋め込みされるか、含まれるか、又は層内に形成され得るよう変更されてもよい。図２Ａ及び２Ｂは、接着層１４、支持層１６、及び防汚層１８の一様な幅を示すが、様々な幅即ち厚さを、防汚テープ２０の一部の又は全ての層において防汚テープ２０の任意の又は一部分又は全ての部分において用いてもよい。様々な幅即ち厚さを、防汚テープ２０の全ての層以外において防汚テープ２０の全ての部分以外において用いてもよい。防汚テープ２０の任意の層の任意の好適な厚さ又は厚さにおける変更は、本発明の範囲から逸脱することなく使用し得る。
【００２０】
図３は、本発明に応じて使用し得る表面１２に防汚テープ２０を付ける方法の１つの実施例を示すフローチャートである。この方法は、表面１２が露出される段階３０から開始する。例えば、繊維ガラス材料から作られる船舶１２の実施例では、防汚物質を含むペイント適用が、繊維ガラスがなくなったコーティングを露出するよう表面１２から取り除かれる。防汚テープ２０を付けるのに適した任意の他の表面状態を、本発明の範囲から逸脱することなく表面１２において露出し得る。
【００２１】
段階３２において、防汚テープ２０が、露出された表面１２上に位置付けられる。図示する実施例では、露出表面１２は、接着層１４の接着剤が活性化される前に表面１２の適切な位置において防汚テープ２０を受け得る。
【００２２】
この方法は、次に、防汚テープ２０が活性化され形付けられる段階３４に進む。図２Ｂを参照して説明したように、活性化エネルギー２２が、接着層１４の接着剤を活性化し得る。活性化と実質的に同時に、防汚テープ２０は、表面１２の外形に一致するよう形付けられ得る。例えば、熱凝固性接着剤の熱活性化の実施例では、防汚テープ２０は、表面１２に接着するに従って収縮し得る。それにより、防汚テープ２０は、表面１２の外形と一致する。
【００２３】
段階３６において、防汚テープ２０は、表面１２に接着する。図２Ｂを参照して説明したように、接着層１４の接着特性は、活性化エネルギー２２を用いて活性化され得る。例えば、接着層１４に、圧力により付加される接着剤を用いる場合、形付けられた防汚テープ２０に圧力を加えることによって、接着層１４を表面１２に接着し得る。形付けられた防汚テープ２０を表面１２に接着後、この方法は終了する。
【００２４】
本発明の範囲から逸脱することなく、段階を追加、省略、変更、又は任意の好適な順序で行い得る。例えば、段階３２における露出面１２に防汚テープ２０を位置付けることは、段階３４における防汚テープ２０の活性化及び形付けと実質的に同時に行われてもよい。別の例として、段階３４における防汚テープ２０の活性化及び形付けは、段階３６における形付けられた防汚テープ２０の表面１２への接着と実質的に同時に行われてもよい。
【００２５】
図４は、本発明において使用してもよい防汚テープ２０を除去するための方法の１つの実施例を示すフローチャートである。この方法は、水中にあった表面から水を取り除く段階４０から開始する。尚、水中となる表面は、次に除去されることが望まれる防汚テープ２０が全体に又は部分的に施され得ることを理解するものとする。
【００２６】
段階４２において、表面１２は、接着層１４を緩めるために加熱される。図示する実施例では、熱は、接着層１４を緩めるためにヒートガンといった任意の熱放出装置を用いて表面１２に与えられ得る。一般的に、熱の適用は、熱凝固性接着剤と共に使用され得るが、接着層１４内に含まれる任意の他のタイプの接着剤も、この段階において加熱され得る。
【００２７】
この方法は、次に、緩められた防汚テープ２０が、表面１２から引っ張って外され得る段階４４に進む。追加的に、緩められた防汚テープ２０は、防汚テープ２０の全て又は一部を引き離すためにこすり落とされてもよい。
【００２８】
段階４６において、表面１２から接着剤の残余物が取り除かれ得る。接着剤の残余物を取り除くことは、溶媒、化学物質、熱、又は、任意の他の好適な接着剤除去技術又は溶液の適用を含み得る。この方法は、表面１２が露出される段階４８に進み、その後、方法は終了する。
【００２９】
本発明の範囲から逸脱することなく、段階を追加、省略、変更、又は任意の好適な順序で行い得る。例えば、段階４４における表面１２からの緩められた防汚テープ２０の引き離しは、段階４６における表面１２からの接着残余物の除去と実質的に同時に行われてもよい。別の例として、段階４６における表面１２からの接着剤残余物の除去は、段階４８における表面１２の露出と実質的に同時に行われてもよい。更に別の例として、段階４２において接着層１４を緩めるための表面１２の加熱は、接着層１４を緩め得る溶液、化学物質、溶媒、放射、又は任意の他の接着剤除去溶液又は技術を含むよう変更され得る。
【００３０】
本発明の特定の実施例は、１つ以上の技術的利点を与え得る。１つの実施例の技術的利点は、テーピング技術を用いることによって、防汚化合物の表面への適用はより効率の良い適用をもたらし得る点である。１つの実施例の別の技術的利点は、表面に防汚テープを付けるのにテーピング技術を用いることによって、防汚化合物の除去は、表面にやすりを掛けたり表面をこする必要を少なくするか又は排除し得る点である。
【００３１】
本発明の実施例及びその利点を詳細に説明したが、当業者は、請求項に記載する本発明の範囲から逸脱することなく様々な変更、追加、及び省略を行うことができよう。
【図面の簡単な説明】
【００３２】
【図１】本発明と共に用い得る汚れ物質に晒され得る表面の１つの実施例を示す図である。
【図２Ａ】表面上への防汚テープの適用の実施例を示す図である。
【図２Ｂ】表面上への防汚テープの適用の実施例を示す図である。
【図３】本発明による表面に防汚テープを付ける方法の１つの実施例を示すフローチャートである。
【図４】本発明による防汚テープを除去する方法の１つの実施例を示すフローチャートである。
【図１】
2006526528.tif 000004
2006526528.tif 000005
【図３】
2006526528.tif 000006
【図４】
2006526528.tif 000007
【国際調査報告】
2006526528.tif 000008
2006526528.tif 000009
2006526528.tif 000010